(57)【要約】特にビデオや写真のタイプの電子装置の支持体は、太陽エネルギーを電気エネルギーに変換して、電気エネルギーを支持された装置（５）に供給するように、光起電手段（９）と、これに関連した接続手段とが配設された支持部材（２，３，４）を有している。
2008507666.tif 000002
【特許請求の範囲】
【請求項１】
少なくとも１つの脚部（２）を有する支持部材（２，３，４）を具備している、特にビデオや写真のタイプの電子装置のための支持体において、前記支持部材（２，３，４）に配設された、太陽エネルギーを電気エネルギーに変換するための光起電手段（９）と、電気エネルギーを前記装置に供給するように、この装置に前記光起電手段を着脱可能に接続させるための手段（１４ないし１９，２２）とを具備している支持体。
【請求項２】
前記光起電手段（９）と前記接続するための手段（２２）とに接続された回路手段（１４）をさらに具備している請求項１の支持体。
【請求項３】
前記少なくとも１つの脚部（２）は、管状の上側部分（６）を有しており、エネルギーを変換するための前記光起電手段（９）は、この管状の上側部分の外面全体に渡って延びている請求項１又は２の支持体。
【請求項４】
前記エネルギーを変換するための手段は、複数の可撓性の光起電パネル（１０）を有している請求項３の支持体。
【請求項５】
前記可撓性の光起電パネル（１０）は、シリコンマイクロスフェアータイプである請求項４の支持体。
【請求項６】
前記支持部材に関連付けられ、かつ前記回路手段（１４）に接続された、電気エネルギーを蓄積するための手段（１９）を更に具備している請求項２，３，４，並びに５のいずれか１の支持体。
【請求項７】
三脚を構成する少なくとも３つの脚部（２）を有している前記全ての請求項のいずれか１の支持体。
【請求項８】
長軸方向に延び、前記光起電手段の少なくとも１つの光起電パネル（１０）を受けるように配設されている座部（３２）が、前記管状の部材（６）に形成若しくは取着されている請求項１ないし３のいずれか１の支持体。
【請求項９】
前記光起電手段は、前記三脚の隣接した２つの脚部（２）間に位置され、かつ固定手段（１０４）により前記支持部材（２，３，４）の少なくとも１つに固定されるようになっている可撓性のパネル（１００）を有している請求項１の支持体。
【請求項１０】
前記パネル（１００）は、ほぼ二等辺四辺形の形状を有している請求項９の支持体。
【請求項１１】
前記パネル（１００）は、前記三脚（１）と前記パネル（１００）との両方を静止した状態で収容するようになっている保管部（１０５）に固定されているか固定可能である請求項９又は１０の支持体。
【発明の詳細な説明】
【技術分野】
【０００１】
本発明は、主請求項の前文に記載されている特徴を有するタイプの電子装置、特にビデオや写真のタイプの電子装置のための支持体に関する。
【背景技術】
【０００２】
近年、デジタル式のビデオカメラ並びに写真（スチール）カメラがますます普及している。このような装置において、通常のフィルムは、電子センサによって取って代えられている。また、静止画若しくは動画は、ディスプレイ上で見られることができ、非揮発性のメモリーカード、磁気テープ、若しくは光コンパクトディスクのような様々なタイプの書き込み可能なメディアにストアされることができる。
【０００３】
これら装置は、通常の写真装置と比較して多くの効果を有している。これら装置は、更に、使用が簡単であり一般に非常にコンパクトな大きさであるため、プロでない使用者にまさに適している。
【０００４】
しかし、これら装置は、電子工学による処理システムの頻繁な使用から得られる多くの効果に加えて、通常の装置よりも電気エネルギーの消費が非常に高い。さらに、重量とディメンションとをますます減じるために、内臓電池は小さく、かくして容量が小さい。この結果、限られた寿命だけしか、撮影回数並びに操作時間に関して確保されていない。
【０００５】
現在、十分な寿命を得るために、従って、予備の電池と、電気エネルギー源が利用可能である場合、適切な充電器とを提供する必要がある。
【０００６】
しかし、予備の電池、この電池を充電するために必要とされるケーブル並びに様々な付属品は、一般に三脚支持体若しくは他のタイプの支持体をすでに有した通常の写真機器と比較して、重量並びに体積の増加をもたらしている。さらに、幾つかの場所においては、電気エネルギー源が、電池を充電するために利用可能でないことが追加されるべきである。
【発明の開示】
【発明が解決しようとする課題】
【０００７】
本発明の主目的は、記載された従来技術に関して参照された欠点の全てを克服するような方法で構造並びに機能的に構成されたカメラ用の支持体を製造することである。
【０００８】
本発明の他の目的は、通常の機器に対する余分な重量並びにサイズを加えることなく、カメラの寿命を延ばすことを可能にする支持体を製造することである。
【０００９】
本発明の更なる目的は、電気ネットワークが利用可能でない場所で、カメラの電池を充電可能にすることである。
【課題を解決するための手段】
【００１０】
以下の説明からより良く理解されるこれら並びに他の目的は、本発明により、添付の請求項に従って構成されたカメラ用の支持体で達成される。
【発明を実施するための最良の形態】
【００１１】
本発明の特徴並びに効果は、添付図面を参照して単なる非限定的な例として記載されている本発明の好ましい一実施形態の詳細な説明からより良く理解されるであろう。
【００１２】
図１に示されている実施形態において、１で全体的に示されているカメラ用の三脚タイプの支持体は、２で示されている３つの脚部を備えた支持部材と、これら３つの脚部２が中に収束し、かつこれら脚部の一端部に枢支されたクロスピース３と、このクロスピース３の軸孔中を制御可能な方法で摺動可能なように配設された支柱４と、カメラ５を取着するようにこの支柱４の上部に配設されたフランジ２０とを有している。
【００１３】
各脚部は、６で示され、かつ複数の管状部材７が中に挿入されている管状の上側部材を有している。前記管状部材は、互いに入れ子式に引き出されることができる。
【００１４】
図２に示されているように、各管状の上側部材６は、互いに対向した主面１１ａ，１１ｂと、互いに対向したエッジ１２ａ，１２ｂとを有する可撓性のパネル状の部材１０により覆われている。これら主面とエッジとは、使用時に、前記脚部２の軸と平行に配設される。
【００１５】
前記パネル状の部材１０は、前記管状の部材６に、これを囲むように取着されている。このような取着において、前記エッジ１２ａ，１２ｂは、互いに近接されているか、部分的にオーバーラップしている。
【００１６】
例えば、「ジッパー（登録商標）」でよく知られた摺動式のクラスプ(clasp)ファスナー、若しくは、ＶＥＬＣＲＯ（登録商標）でよく知られたスティック状のストラップファスナータイプの２つのストリップにより構成されたそれぞれの取着手段とカウンター手段とが、前記エッジに沿ってステッチ若しくは適用されている。代わって、各エッジに、複数のアイレット、例えば、当業者に本質的に良く知られたレースタイプの取着手段若しくはこれと同等の取着手段を設けることも可能である。
【００１７】
前記面１１ｂは、前記部材６へのしっかりとした固定を確実にするように、接着層の塗布により接着性を有している。
【００１８】
前記面１１ａは、複数の光起電セル９に分割された可撓性又は剛性の光起電素子を有している。必要とされる可撓性は、前記部材６の面に対する形状の適用を可能にするように脚部２の湾曲面に適合する程度である。Ｓｐｈｅｒａｌ  Ｓｏｌａｒ(登録商標)で知られたシリコンマイクロスフェアー(microsphere)、若しくは、他の同様の材料を有する可撓性のパネルは、機械的な強度並びに変換効率のために、このタイプの使用に特に適している。
【００１９】
マイクロスフェアータイプのパネルの使用は、シリコンからなる平坦な通常の光起電セルと比較して、太陽光線の入射角に対するパネルの感度が小さいために、特に有用である。このため、平坦かつ方向付け可能な面を設ける必要なく、三脚の構造的な部材を使用することにより、十分な量の電気エネルギーを得ることができる。
【００２０】
図４に示されている第２の実施形態において、管状の部材６は、２つのショルダー部３１間に配置され全長に渡って延びている平面３２を外面に備えた半押し出し成形(semi-processed extrusion)部材３５により成形されている。図５に示されている第３の実施形態において、管状の部材６は、円筒形のロッド３４に対して支持体３３を組み合わせることにより得られている。この場合、支持体３３は、三脚の脚部の上側部分を構成している管状の円筒形の部材と一緒に押し出し成形されていないとき、接着ボンド若しくは他の適切な取着方法により、円筒形のロッドに取着されることができる。
【００２１】
このような方法で得られた平面３２は、複数の光起電セル９からなる光起電パネルで覆われている。限定された程度の剛性若しくは可撓性を有するパネルが、この場合に使用されることができる。前記光起電セル９は、前記クロスピース３内に形成されたリセス１５中に収容されている電子回路１４の入力ポートに電気的に接続されている。この電子回路１４は、出力コネクタ１７に接続された出力ポートを有している。
【００２２】
前記電子回路１４は、また、前記支柱４内に適切に形成若しくは成形されたリセス２１中に収容されている１つ以上の充電可能な電池１９に任意に接続されている。
【００２３】
前記カメラ５は、適切な供給ケーブル２２により、前記コネクタ１７に接続されている。好ましくは、このコネクタ１７は、前記固定のフランジ２０近くに位置されることができる。
【００２４】
前記光起電セル９が、太陽放射に露出されると、入射太陽エネルギーは、電気エネルギーに変換されて前記回路１４に送られる。この回路１４は、光起電セル９を最大効率で動作させることができ、これと同時に、カメラに供給される電力を制御し、余分な電力を前記電池１９に供給する。カメラにより必要とされる電力が、光起電セルにより供給される電力を超えた場合、例えば、光が不十分である、若しくは、カメラによるエネルギーの一時的な吸収が高い場合、前記回路１４は、エネルギーの不足分を前記電池１９からとる。
【００２５】
説明された本発明は、カメラを操作するための、若しくは、カメラの内臓電池を充電するための電源を、どの場所にでも設けることができるが、通常、使用時に、装置の通常のディメンションに影響を与えることはない。
【００２６】
さらに、この装置は、また、自身の内臓電池の存在により、太陽にさらされていない時でも蓄積エネルギーを供給することができる。再び、この装置は、内臓電池により、例えば、カメラ内に収容された電池を迅速に再充電するのに必要とされる高い電力を供給することができる。
【００２７】
本発明は、写真用の支持体と一体的であることが好ましく、従って、使用者が、通常使用される機器の空間的なディメンションのごくわずかな増加により、カメラ用の補助エネルギー源を有することを可能にしている。
【００２８】
本発明は、写真用の三脚に関係した一例として説明されているが、本発明が、単一の脚部の支持体、若しくは、いずれの形状のスタンドのようなタイプの支持体に適用され得ることは理解されるであろう。
【００２９】
本発明の他の実施形態（図６並びに７）において、光起電セル９は、図６に示されているような三脚１の隣接した２つの脚部間に配設されるようになっている可撓性のパネル１００と一体的である。この例において、パネル１００は、副部１０１と、主部１０２と、傾斜した側部１０３とを備えた二等辺四辺形の形状を有していることが好ましい。副部１０１と傾斜した側部１０３とには、三脚のクロスバー３、脚部２、若しくは他の部分に取り外し可能に装着されるための装着手段１０４が設けられている。この装着手段１０４は、保管部１０５とパネル１００とを互いに装着するための手段と同様に、一例として、ＶＥＬＣＲＯ（登録商標）で知られた種類のスティック状のストラップファスナー１０６により得られることができる。別の方法として、パネルが、犬くぎ若しくはこれと同様のものによって地面に固定されるか、地面に全く固定されずに、クロスピース３と延出された状態の脚部２とに対する装着が十分であることが想定される。
【図面の簡単な説明】
【００３０】
【図１】本発明に従った光起電パネルを有するカメラ用の支持体の斜視図である。
【図２】図１の支持体の可撓性の光起電素子の部分的な拡大斜視図である。
【図３】図１の支持体の断面の部分的な斜視図である。
【図４】本発明の第２の実施形態に従った、図１の支持体の管状の上側部材の１つの断面図である。
【図５】本発明の第３の実施形態に従った、図１の支持体の管状の上側部材の１つの断面図である。
【図６】動作位置における本発明の別の実施形態の概略的な斜視図である。
【図７】静止位置における図６の実施形態の概略的な斜視図である。
【図８】図６の細部の拡大断面図である。
【図１】
2008507666.tif 000003
【図２】
2008507666.tif 000004
【図３】
2008507666.tif 000005
【図４】
2008507666.tif 000006
【図５】
2008507666.tif 000007
【図６】
2008507666.tif 000008
【図７】
2008507666.tif 000009
【図８】
2008507666.tif 000010
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
一端部がクロスピース（３）に回動可能に装着された少なくとも３つの脚部（２）を有する支持部材を具備している、ビデオ並びに写真の機器を支持するための三脚（１）において、前記脚部（２）の少なくとも１つに配設された、太陽エネルギーを電気エネルギーに変換するための光起電手段（９）と、電気エネルギーを前記機器に供給するように、この機器に前記光起電手段を着脱可能に接続するための手段（１４ないし１９，２２）とを具備することを特徴とする三脚。
【請求項２】
前記光起電手段（９）と前記接続するための手段（２２）とに接続された回路手段（１４）をさらに具備している請求項１の三脚。
【請求項３】
前記脚部（２）の各々は、管状の上側部分（６）を有しており、エネルギーを変換するための前記光起電手段（９）は、この管状の上側部分の外面全体に渡って延びている請求項１又は２の三脚。
【請求項４】
前記エネルギーを変換するための光起電手段は、複数の可撓性の光起電パネル（１０）を有している請求項３の三脚。
【請求項５】
前記可撓性の光起電パネル（１０）は、シリコンマイクロスフェアータイプである請求項４の三脚。
【請求項６】
前記支持部材に関連付けられ、かつ前記回路手段（１４）に接続された、電気エネルギーを蓄積するための手段（１９）を更に具備している請求項２，３，４，並びに５のいずれか１の三脚。
【請求項７】
長軸方向に延び、光起電手段の少なくとも１つの光起電パネル（１０）を受けるように配設されている座部（３２）が、前記管状の部材（６）に形成若しくは取着されている請求項１ないし３のいずれか１の三脚。
【請求項８】
前記光起電手段は、三脚の隣接した２つの前記脚部（２）間に位置され、かつ固定手段（１０４）により前記支持部材（２，３，４）の少なくとも１つに固定されるようになっている可撓性のパネル（１００）を有している請求項１の三脚。
【請求項９】
前記パネル（１００）は、ほぼ二等辺四辺形の形状を有している請求項８の三脚。
【請求項１０】
前記パネル（１００）は、三脚（１）とこのパネル（１００）との両方を静止した状態で収容するようになっている保管部（１０５）に固定されているか固定可能である請求項８又は９の三脚。
【手続補正３】
【補正対象書類名】明細書
【補正対象項目名】０００１
【補正方法】変更
【補正の内容】
【０００１】
本発明は、主請求項の前文に記載された特徴を有するタイプの、ビデオや写真の機器を支持するための三脚に関する。
【手続補正４】
【補正対象書類名】明細書
【補正対象項目名】０００６
【補正方法】変更
【補正の内容】
【０００６】
しかし、予備の電池、この電池を充電するために必要とされるケーブル並びに様々な付属品は、一般に三脚支持体若しくは他のタイプの支持体をすでに有した通常の写真機器と比較して、重量並びに体積の増加をもたらしている。幾つかの位置で、電気エネルギー源が、電池を充電するために利用可能であることが追加されるべきである。  
太陽セルが設けられた固定ポール式の支持体と、電気エネルギーを蓄積するための手段とは、ＥＰ０８４９５２４と、ＪＰ２００４２０７１０９とに開示されている。
【発明の開示】
【発明が解決しようとする課題】
【国際調査報告】
2008507666.tif 000011
2008507666.tif 000012
2008507666.tif 000013